(57)【要約】【課題】いかなる場合でも容易に剥すことのできる剥離シートを備えたずれ止めテープを配置した吸収性物品を提供する。【解決手段】液透過性のトップシートと、液不透過性のバックシートと、これら両シートの間に配置された吸収体とを有する吸収性物品において、前記バックシートの外側の面の少なくとも一部には、剥離シート面に粘着剤層を形成してなるずれ止めテープが配置されており、前記粘着剤層が前記バックシート外側の面上に位置し、前記剥離シートが粘着剤層を覆って配置されており、かつ、前記剥離シートにはその周縁部の少なくとも一部に凸部が形成されていることを特徴とする吸収性物品。【選択図】  図１
2006166967.tif 000002
【特許請求の範囲】
【請求項１】
液透過性のトップシートと、液不透過性のバックシートと、これら両シートの間に配置された吸収体とを有する吸収性物品において、
（１）液透過性のトップシートと、液不透過性のバックシートと、これら両シートの間に配置された吸収体とを有する吸収性物品において、
前記バックシートの外側の面の少なくとも一部には、剥離シートの一面に粘着剤層を形成してなるずれ止めテープが、その粘着剤層が前記バックシート外側の面に接し、その剥離シートが前記粘着剤層を覆って配置されており、かつ、前記剥離シートにはその周縁部の少なくとも一部に凸部が形成されていることを特徴とする吸収性物品。
【請求項２】
前記剥離シートの凸部には前記粘着剤層が存在しないことを特徴とする請求項１記載の吸収性物品。
【請求項３】
前記粘着剤層は前記剥離シート面に複数列形成されており、かつ、剥離シートの中央領域には、粘着剤非塗布部が形成されると共に前記凸部が形成されていることを特徴とする請求項１又は請求項２に記載の吸収性物品。
【請求項４】
前記ずれ止めテープは、前記バックシートの外側の面の少なくとも２箇所に配置されていることを特徴とする請求項１〜請求項３のいずれか１項に記載の吸収性物品。
【請求項５】
前記ずれ止めテープは、その少なくとも１つが、前記剥離シートの凸部が吸収性物品の中心部とは反対の方向を向くように配置されていることを特徴とする請求項１〜請求項４のいずれか１項に記載の吸収性物品。
【請求項６】
前記ずれ止めテープは、その少なくとも１つが、前記吸収性物品の使用前における吸収性物品を三つ折りに折り畳んだ状態で、上面となる位置に配置されていることを特徴とする請求項１〜請求項５のいずれか１項に記載の吸収性物品。
【発明の詳細な説明】
【技術分野】
【０００１】
本発明は、吸収性物品に関するものであり、特に、摘み部が形成されたずれ止めテープを有する吸収性物品に関する。
【背景技術】
【０００２】
尿取りパッド等の吸収性物品は、液透過性のトップシートと、液不透過性のバックシートと、これら両シートの間に配置された吸収体とから基本的に形成されており、着用時に排泄された尿等の排泄物を液透過性のトップシートを介して吸収体に保持し、液不透過性のバックシートにより、排泄物が吸収性物品の外に漏れ出すのを防ぐ構造になっている。
【０００３】
このような吸収性物品は、単独では着用者に装着することができないため、一般に、バックシートの外側面に配置したずれ止めテープにより肌着や使い捨ておむつ等に仮止めして着用者に装着している。
【０００４】
また、ずれ止めテープは、一般に、剥離紙面に粘着剤層を塗布して形成されており、吸収性物品のバックシートの外側面に粘着剤層が位置し、粘着剤層を覆って剥離紙が配置されており、吸収性物品を使用する場合には、剥離紙を剥して粘着剤層を露出させ、粘着剤層を介して吸収性物品を肌着や使い捨ておむつに仮止めするようになっている。
【０００５】
しかしながら、従来のずれ止めテープは、剥離紙が矩形状に形成されていたため、急いで剥離紙を剥したい場合に上手く剥すことができず、吸収性物品の装着に時間がかかり、介護者や利用者に思わぬ負担がかかってしまう場合があり、そのため、剥離紙の剥離性を改善したずれ止めテープが求められていた。
【０００６】
また、ずれ止めテープに関しては、剥離紙の特定部位に粘着剤層を塗布したもの（特許文献１）、剥離紙に特定のパターンで粘着剤層を塗布したもの（特許文献２）、あるいは、剥離紙を透視可能な素材で形成したもの（特許文献３）、等が提案されている。しかしながら、これらの先行文献のいずれにも、剥離紙の剥離性を改善することについては何等開示されていない。
【特許文献１】特開昭６１−９０８０５号公報
【特許文献２】特開平１−２４４７５３号公報
【特許文献３】特開２００４−２５４７４０号公報
【発明の開示】
【発明が解決しようとする課題】
【０００７】
本発明は、上記従来のずれ止めテープを備えた吸収性物品の有する問題点を克服し、いかなる場合でも容易に剥すことのできる剥離紙を有するずれ止めテープを配置した吸収性物品を提供するものである。
【課題を解決するための手段】
【０００８】
上記従来のずれ止めテープを備えた吸収性物品の有する問題点を解決するための本発明は、以下の各発明を包含する。
【０００９】
（１）液透過性のトップシートと、液不透過性のバックシートと、これら両シートの間に配置された吸収体とを有する吸収性物品において、
前記バックシートの外側の面の少なくとも一部には、剥離シートの一面に粘着剤層を形成してなるずれ止めテープが、その粘着剤層が前記バックシート外側の面に接し、その剥離シートが前記粘着剤層を覆って配置されており、かつ、前記剥離シートにはその周縁部の少なくとも一部に凸部が形成されていることを特徴とする吸収性物品。
【００１０】
（２）前記剥離シートの凸部には前記粘着剤層が存在しないことを特徴とする（１）項記載の吸収性物品。
【００１１】
（３）前記粘着剤層は前記剥離シート面に複数列形成されており、かつ、剥離シートの中央領域には、非塗布部が形成されると共に前記凸部が形成されていることを特徴とする（１）項又は（２）項に記載の吸収性物品。
【００１２】
（４）前記ずれ止めテープは、前記バックシートの外側の面の少なくとも２箇所に配置されていることを特徴とする（１）項〜（３）項３のいずれか１項に記載の吸収性物品。
【００１３】
（５）前記ずれ止めテープは、その少なくとも１つが、前記剥離シートの凸部が吸収性物品の中心部とは反対の方向を向くように配置されていることを特徴とする（１）項〜（４）項のいずれか１項に記載の吸収性物品。
【００１４】
（６）前記ずれ止めテープは、その少なくとも１つが、前記吸収性物品の使用前における吸収性物品を三つ折りに折り畳んだ状態で、上面となる位置に配置されていることを特徴とする（１）項〜（５）項のいずれか１項に記載の吸収性物品。
【発明の効果】
【００１５】
本発明の吸収性物品は、バックシートの外側の面に、剥離シート面に粘着剤層を形成してなるずれ止めテープが配置されており、かつ、該ずれ止めテープにおける剥離シートがその周縁部の一部に凸部が形成されているものであることを特徴とする。
このようなずれ止めテープを有する本発明の吸収性物品は、これを使用する場合、剥離シートを剥して粘着剤層を露出させる必要があるが、剥離シートの凸部の部分で吸収性物品を湾曲させることにより剥離シートを粘着剤層面から容易に剥離させることができ、さらに、凸部が摘み部となるので、凸部を摘んで剥離シートを容易に剥すことが可能であるため、忙しい介護の現場においても好適に使用することができる。
【００１６】
また、本発明の場合、凸部の部分に粘着剤層が存在しないようにずれ止めテープを形成することにより、凸部が吸収性物品の表面から常に離間した状態になるので、剥離シートをより剥し易くなる。
【００１７】
さらに、使用前の吸収性物品が三つ折りに折り畳まれた状態において、剥離シートの凸部の部分が上面に位置するようにずれ止めテープを配置することにより、吸収性物品を使用する場合に、ずれ止めテープを探す必要がなく、また、吸収性物品を広げる前に剥離シートを剥すことが出来るため、一連の作業性が良好となる。
【発明を実施するための最良の形態】
【００１８】
以下、図面を参照して、本発明の吸収性物品を詳細に説明するが、勿論、本発明はこれらによって何等制限されるものではない。
【００１９】
図１は、本発明の吸収性物品をバックシート側から見た場合の一部切り欠き展開平面図である。
図１において、吸収性物品１は、液透過性のトップシート２と、液不透過性のバックシート３と、これら両シートの間に配置された吸収体４とから基本的に構成されており、バックシート３の外側の面にはずれ止めテープ５が配置されている。また、ずれ止めテープ５は、剥離シート６面に粘着剤層７塗布して形成されており、粘着剤層７がバックシート３の外面上に位置し、剥離シート６が粘着剤層７を覆って配置されており、さらに、剥離シート６の周縁部には凸部８が形成されている。
このような構成の本発明の吸収性物品は、吸収性物品の使用時にずれ止めテープの剥離シートを剥す際に、剥離シートの凸部が摘み部となり、剥離シート６を容易に剥すことが出来る。
【００２０】
また、図１に示すように、ずれ止めテープ５は吸収性物品１の長手方向端縁部に近い領域に配置し、さらに、剥離シート６の凸部８が吸収性物品１の中心部とは反対の方向、すなわち、吸収性物品の長手方向端縁部の方向を向くように配置することが好ましい。
このようにずれ止めテープを配置することにより、後述するように、吸収性物品の未使用時に三つ折りに折り畳んだ状態で、ずれ止めテープを上面となる位置に配置することができるため、吸収性物品を使用する場合、ずれ止めテープを探す必要がなく、さらに、凸部を摘んで剥離シートを剥す方向と、折り畳まれた吸収性物品を開く方向とが同じになり、剥離シートを剥したあと直ぐに吸収性物品を開くことができるため、吸収性物品を装着するための一連の作業性が良好となる。
【００２１】
なお、図１では、ずれ止めテープの剥離シートの周縁部に凸部を１つだけ形成した例を示したが、反対側の位置にもう１つ形成することも可能である。また、凸部は剥離シートの中央部に形成されているが、必ずしも中央部である必要はない。さらに、剥離シートの凸部を形成した辺とは反対側の辺に凹部が形成されている必要もなく、真直ぐであっても良い。
【００２２】
図２は、本発明の吸収性物品をバックシート側から見た場合の展開平面図であり、図１とは異なる例を示している。
図２において、ずれ止めテープ５は、吸収性物品１の長手方向両端縁部の２箇所に配置されている。このように、ずれ止めテープを２箇所に配置することにより、吸収性物品を肌着や使い捨ておむつに良好に仮止めすることができる。
【００２３】
なお、図２では、２つのずれ止めテープ５をその凸部８が同じ方向を向くように配置したが、２つとも凸部８が吸収性物品の長手方向端縁部の方向を向くように配置することも可能である。
さらに、ずれ止めテープ５を複数個配置する代わりに、吸収性物品とほぼ同等の長さを有する、縦長のずれ止めテープを１つ配置しても良い。
【００２４】
図３は、本発明の吸収性物品において使用されるずれ止めテープの各種の態様を粘着剤層側から見て示したものである。
図３（ａ）は、剥離シート６の凸部８に粘着剤層７が形成されていない状態のものを示している。
図３（ｂ）は、剥離シート６の長手方向両側縁部に粘着剤層７が形成され、剥離シート６の長手方向中央領域の凸部８が形成されている領域には、粘着剤層が存在しない非塗布部が形成されている状態を示している。
【００２５】
本発明において、図３（ａ）及び図３（ｂ）に示すように、凸部の部分に粘着剤層が存在しないようにずれ止めテープを形成することにより、凸部が吸収性物品の表面から常に離間した状態なるので、剥離シートをより剥し易くなる。
【００２６】
図３（ｃ）及び図３（ｄ）は、剥離シート６の凸部８が弓状に形成されている例を示している。本発明では、このような形状の凸部であっても十分に本発明の効果を得ることができる。
【００２７】
図４は、本発明の吸収性物品において使用されるずれ止めテープの製造方法の一例を粘着剤層側からみて模式的に示す平面図である。
図４において、剥離シート連続体６’面に粘着剤が連続塗布されて粘着剤層７’が形成され、ずれ止めテープ連続体５’が形成される。次いで、ずれ止めテープ連続体５’を一定間隔で切断して、凸部８を有するずれ止めテープ５が形成される。
このような方法でずれ止めテープを製造することにより、容易に凸部を有するずれ止めテープを製造することができる。さらに、凸部を形成する際にトリムを発生させることがないため、生産性も良いものとなる。
【００２８】
また、剥離シート連続体６’に粘着剤層７’を形成する場合、剥離シート連続体６’の全面に粘着剤を塗布して粘着剤層６’を形成することも可能であるが、剥離シート連続体６’の両側縁部に粘着剤の存在しない非塗布部９を形成するように粘着剤を塗布することが好ましい。すなわち、剥離シート連続体６’の全面に粘着剤を塗布する場合には、製造工程で剥離シート連続体６’の蛇行などにより粘着剤が剥離シート連続体６’からはみ出して設備を汚してしまう場合があり、さらに、得られるずれ止めテープ５を吸収性物品に配置した際に、剥離シート６からはみ出した粘着剤が吸収性物品に付着し、吸収性物品を汚したり、破れを発生させる場合がある。
【００２９】
このように、剥離シート連続体６’の両側縁部に非塗布部９を形成することが好ましく、その幅は、製造されるずれ止めテープの大きさにより異なるが、２〜１０ｍｍの寸法で形成することが好ましい。
【００３０】
図５は、本発明の吸収性物品の使用前の状態を示す斜視図である。図５において、吸収性物品１は、３つに折り畳まれており、折り畳まれた上面にずれ止めテープ５が、その凸部８が吸収性物品１の端縁部の方向を向くように配置されている。
このようにずれ止めテープを配置した本発明の吸収性物品は、これを使用する場合、吸収性物品を開いてずれ止めテープを探す必要がなく、さらに、凸部を摘んで剥離シートを剥す方向と、折り畳まれた吸収性物品を開く方向とが同じになり、剥離シートを剥したあと直ぐに吸収性物品を開くことができるため、吸収性物品を装着するための一連の作業性が良好となる。
【００３１】
以下、本発明において使用される材料について説明するが、本発明は、これらによって何等制限されるものではない。
【００３２】
本発明において、剥離シートとしては、粘着剤層と接する面に剥離処理を施した紙を有利に用いることができる。その他にも剥離処理を施したフィルム等も用いることができる。
【００３３】
本発明において、粘着剤としては、のりやホットメルトなどの粘着剤が用いられる。ホットメルトとしては、オレフィン系、ＳＢＳ系、ＳＩＳ系、及びこれらの混合体など、従来から使用されているものを使用することができる。
【００３４】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００３５】
本発明において、液不透過性のバックシートとしては、微孔を形成したポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを張合わせた積層構造のシートを用いることもできる。
【００３６】
本発明において、吸収体としては、通常の吸収性物品に使用されるものであればいずれも使用することができる。すなわち、綿状パルプと高吸水性ポリマー（ＳＡＰ）を併用したもの、さらに熱融着性繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型であっても良く、あるいは矩形であっても良い。
【産業上の利用可能性】
【００３７】
本発明の吸収性物品は、バックシートの外側の面に、剥離シート面に粘着剤層を形成してなるずれ止めテープが配置されており、かつ、剥離シートの周縁部の一部に凸部が形成されているものである。このような構成の本発明の吸収性物品は、これを使用する場合、剥離シートを剥して粘着剤層を露出させる必要があるが、剥離シートの凸部の部分で吸収性物品を湾曲させることにより剥離シートを粘着剤層面から容易に剥離させることができ、さらに、凸部が摘み部となるので、凸部を摘んで剥離シートを容易に剥すことが可能であるため、忙しい介護の現場においても好適に使用することができるものであり、肌着や使い捨ておむつに仮止めして使用する尿取りパッドなどの吸収性物品として有用である。
【図面の簡単な説明】
【００３８】
【図１】本発明の吸収性物品をバックシート側から見た場合の一部切り欠き展開平面図である。
【図２】本発明の吸収性物品をバックシート側から見た場合の他の例を示す展開平面  図である。
【図３】本発明の吸収性物品において使用されるずれ止めテープの各種の態様を粘着剤層側からみて示す平面図である。
【図４】本発明の吸収性物品において使用されるずれ止めテープの製造方法の一例を粘着剤層側からみて模式的に示した平面図である。
【図５】本発明の吸収性物品の使用前の状態を示す斜視図である。
【符号の説明】
【００３９】
１：吸収性物品
２：液透過性のトップシート
３：液不透過性のバックシート
４：吸収体
５：ずれ止めテープ
５’：ずれ止めテープ連続体
６：剥離シート
６’：剥離シート連続体
７：粘着剤層
７’：粘着剤層
８：凸部
９：非塗布部                                                                                
【図１】
2006166967.tif 000003
【図２】
2006166967.tif 000004
【図３】
2006166967.tif 000005
【図４】
2006166967.tif 000006
【図５】
2006166967.tif 000007